(57)【特許請求の範囲】
【請求項１】
基礎地盤に対して少なくとも建築物の略床面形状分について所定深さの改良地盤が生成され、
前記改良地盤上に、外側壁と内側壁と底面壁とを有する断面略Ｕ字状の所定長さのコンクリート基礎ブロックが長さ方向に複数個連結して組み付けられ、
前記連結されたコンクリート基礎ブロックの外側壁の内面に、ウレタン等の断熱材が配設され、
前記コンクリート基礎ブロック内にコンクリートが充填され、このコンクリート上に建物の土台が載せられ、建物の外壁に配置される外断熱材が、前記コンクリート基礎ブロックの外側壁の内面に配設された断熱材と連続した状態に設けられることを特徴とする建築物の外断熱材施工構造。
【発明の詳細な説明】
【技術分野】
【０００１】
本発明は、建築物の外断熱材施工構造に関する。
【背景技術】
【０００２】
従来、建築物の基礎構造は、基礎地盤に対して建築物の土台が載置される領域に沿って所定深さの溝が掘削され、かつ、その溝で囲まれた内方の地盤面もグランドレベルよりも所定深さ（溝よりも浅い）に掘削され、溝及びその内方の地盤上に砕石及び／又は栗石が転圧され、その上面に、溝の上方とその他位置に縦配筋及びスラブ配筋が組まれ、溝の位置に組まれた縦配筋の両側面近傍に沿って仮枠を配設し、これら縦配筋を埋め込むようにコンクリートが打たれ、さらには、仮枠を取り外した後、スラブ配筋を埋め込むようにコンクリートが打たれたものとされている。
【０００３】
このような従来の建築物の基礎構造においては、コンクリートを打つために配設される仮枠設置に多くの手間と時間を要していた。この問題を解消するために、本出願人は、コンクリートを打つために配設される仮枠設置の手間と時間を削減し、工数の短期化及び低コスト化が図れる建築物の基礎構造体を用いた基礎構造及びその施工法を先に提案した（特許文献１参照）。
【０００４】
上記特許文献１に記載されたような建築物の基礎構造にあって、外断熱材の施工の工数を低減したいとの要請がある。従来、外断熱材の施工は、コンクリートを打つために配設される仮枠を取り外した後、このコンクリートの外周面に断熱材を配置し、さらに白蟻の侵入を防ぐため、この断熱材を仕上材で覆う作業（外部仕上げ、以下同様）が必要であった。そのため、外断熱材の施工に手間と時間がかかり、工期の長期化、コスト高を招いていた。
【特許文献１】特開２００３−９６７９１号公報
【発明の開示】
【発明が解決しようとする課題】
【０００５】
本発明は、上述した問題点を解決するためになされたものであり、外断熱材の施工が容易に行え、工期が少なく、コストの低減が可能である建築物の外断熱材施工構造を提供することを目的とする。
【課題を解決するための手段】
【０００６】
上記目的を達成するために請求項１の発明は、基礎地盤に対して少なくとも建築物の略床面形状分について所定深さの改良地盤が生成され、前記改良地盤上に、外側壁と内側壁と底面壁とを有する断面略Ｕ字状の所定長さのコンクリート基礎ブロックが長さ方向に複数個連結して組み付けられ、前記連結されたコンクリート基礎ブロックの外側壁の内面に、ウレタン等の断熱材が配設され、前記コンクリート基礎ブロック内にコンクリートが充填され、このコンクリート上に建物の土台が載せられ、建物の外壁に配置される外断熱材が、前記コンクリート基礎ブロックの外側壁の内面に配設された断熱材と連続した状態に設けられるものである。
【発明の効果】
【０００７】
本発明に係る建築物の外断熱材施工構造においては、建物の外壁に配置される外断熱材が、コンクリート基礎ブロックの外側壁の内面に配設された断熱材と略連続した状態で設けられているので、白蟻の侵入を防ぐための外部仕上げが断熱材に不要となり、外断熱材の施工が容易に行え、工期の短縮化及びコストの低減が可能である。
【発明を実施するための最良の形態】
【０００８】
以下、本発明の第１の実施形態に係る建築物の外断熱材施工構造について説明する。図１は、本発明に係る外断熱材施工構造が適用されて完成した逆ベタ基礎構造の断面を示す。施工者は、基礎地盤１に対して建築物の床面形状の外周囲近傍に合わせてグランドレベルＧＬより所定深さ（本例では６２０ｍｍ程度）、ほぼ全面的に掘削する。この掘削した領域内に、掘削した土砂にセメント系地盤改良材（セメント固化材）を付加して埋め戻して転圧して改良地盤２ａを形成する。地盤改良材は、その他の土質安定処理材であってもよい。この改良地盤２ａの上面に、無型枠で所定長さ（例えば、１５００ｍｍ）のコンクリート基礎ブロック３を複数個長さ方向に連結して組み付ける。
【０００９】
このコンクリート基礎ブロック３は、背高（例えば、６５０ｍｍ）の外側壁３１と底面壁３２とから成るＬ字型のコンクリート基礎ブロック３ａ（Ｌ字型部材）と、背低（例えば、４５０ｍｍ）の内側壁３３から成るＩ字型のコンクリート基礎ブロック３ｂ（Ｉ字型部材）とを有しており、コンクリート基礎ブロック３ａの底面壁の上面には、所定深さ（例えば、２５ｍｍ）の溝３４、３５が設けられるとともに、ここでは、溝３５に、Ｉ字型のコンクリート基礎ブロック３ｂの下端部が嵌合している。なお、Ｉ字型のコンクリート基礎ブロックＩの下端部は、溝３４に嵌合されてもよく、施工時に任意の位置に嵌合することができる。
【００１０】
次に、前記連結されたコンクリート基礎ブロック３により囲まれた内方であって、改良地盤２ａの内方面の地盤上にも内側壁３３の高さまで、上述と同様に改良地盤２ｂを生成する。この改良地盤２ｂの厚みは６２０ｍｍ程度とし、グランドレベルＧＬより４００ｍｍ程度の高さとする。コンクリート基礎ブロック３の外側壁３１の上端は、グランドレベルＧＬより４００ｍｍ程度の高さになるようにしている。また、外側壁３１の内面、及び、改良地盤２ｂ上には、例えば、ウレタンや発泡材等から成る断熱材５、６が配設されている。
【００１１】
上記により連結されたコンクリート基礎ブロック３の内方の改良地盤２ｂ上及び断熱材６上のそれぞれに外側壁３１の高さまで鉄筋コンクリートスラブ４を打つ。この鉄筋コンクリートスラブ４の水平上面がグランドレベルＧＬより所定必要高さ（４００ｍｍ程度）位置になるようにする。
【００１２】
こうして施工された基礎構造体は、デッキ構造となり、鉄筋コンクリートスラブ４上に建築物（建物）を載せることができる。図１には、鉄筋コンクリートスラブ４上に建築物の土台１１を戴置してアンカー（図示なし）で固定し、この土台１１上に柱・外壁１２を立設している様子を示す。コンクリート基礎ブロック３の連結には、連結金具（図示なし）を使用する。また、この建物の外壁１２の外面には、外断熱材５１が配置されており、この外断熱材５１は、コンクリート基礎ブロック３の外側壁３１の内面に配設された断熱材５と連続したものである。
【００１３】
上記実施形態においては、建物の外壁１２に配置される外断熱材５１が、コンクリート基礎ブロック３の外側壁３１の内面に配設された断熱材５と連続した状態で設けられているので、断熱材５に白蟻の進入を防ぐための外部仕上げが不要となり、外断熱材５１の施工が容易に行える。そのため、工期の短縮化及びコストの低減が可能である。また、コンクリート基礎ブロックがＬ字型部材とＩ字型部材とに分割できるので、外側壁と内側壁とを任意の幅寸法に変更ができる。
【００１４】
次に、本発明の第２の実施形態に係る建築物の外断熱材施工構造について説明する。図２は、本発明に係る建築物の外断熱材施工構造が適用されて完成したベタ基礎構造の断面を示す。施工者は、図１と同様に、基礎地盤１に対して建築物の床面形状の外周囲近傍に合わせて改良地盤２ａを形成し、この改良地盤２ａの上面に、無型枠で所定長さのコンクリート基礎ブロック３を複数個長さ方向に連結して組み付けている。
【００１５】
このコンクリート基礎ブロック３は、第１の実施形態と同様の部材から構成されるが、Ｉ字型のコンクリート基礎ブロック３ｂは、Ｌ字型のコンクリート基礎ブロック３ａの外側壁３１と同じ背高となる形状に形成され、Ｉ字型のコンクリート基礎ブロック３ｂの側面部を打ち抜いて開口部３６が形成され、連結されたコンクリート基礎ブロック３により囲まれた内方であって、改良地盤２ａの内方面の地盤上には、改良地盤２ｂが開口部３６の高さの中間位置程度まで生成されている。外側壁３１の内面には、第１の実施形態と同様に、断熱材５が配設されている。改良地盤２ｂ上には、鉄筋コンクリートスラブ４が打たれ、さらに、鉄筋コンクリートスラブ４上には、断熱材６が配設されている。
【００１６】
こうして施工された基礎構造体は、第１の実施形態と同様に、デッキ構造となり、鉄筋コンクリートスラブ４上に土台１１を載置し、この土台１１上に柱・外壁１２を立設することにより建築物を載せる。外壁１２の外面には、外断熱材５１が配置されており、この外断熱材５１は、コンクリート基礎ブロック３の外側壁３１の内面に配設された断熱材５と連続したものである。
【００１７】
上記実施形態においても、建物の外壁１２に配置される外断熱材５１が、コンクリート基礎ブロック３の外側壁３１の内面に配設された断熱材５と連続した状態で設けられているので、第１の実施形態と同様に、工期の短縮化及びコストの低減が可能である。
【００１８】
次に、本発明の第３の実施形態に係る建築物の外断熱材施工構造について説明する。図３は、本発明に係る建築物の外断熱材施工構造が適用されて完成した布基礎構造の断面を示す。施工者は、図１と同様に、基礎地盤１に対して建築物の床面形状の外周囲近傍に合わせて改良地盤２ａを形成し、この改良地盤２ａの上面に、所定長さのコンクリート基礎ブロック３を複数個長さ方向に連結して組み付けている。
【００１９】
このコンクリート基礎ブロック３は、図２と同様に、外側壁３１の内面には断熱材５が配設され、また、Ｉ字型のコンクリート基礎ブロック３ｂの一部を打ち抜いて開口部３６が形成され、連結されたコンクリート基礎ブロック３により囲まれた内方であって、改良地盤２ａの内方面の地盤上には、割栗石７が開口部３６の高さまで生成されている。この割栗石７の上には鉄筋コンクリートスラブ４が生成され、さらに鉄筋コンクリートスラブ４上には、断熱材６が配設されている。
【００２０】
こうして施工された基礎構造体は、第１の実施形態と同様に、デッキ構造となり、鉄筋コンクリートスラブ４上に土台１１を載置し、この土台１１上に柱・外壁１２を立設することにより建築物を載せることができる。外壁１２の外面には、外断熱材５１が配置されており、この外断熱材５１は、コンクリート基礎ブロック３の外側壁３１の内面に配設された断熱材５と連続したものである。
【００２１】
上記実施形態においても、建物の外壁１２に配置される外断熱材５１が、コンクリート基礎ブロック３の外側壁３１の内面に配設された断熱材５と連続した状態で設けられているので、第１の実施形態と同様に、工期の短縮化及びコストの低減が可能である。
【００２２】
なお、本発明は、上記各実施形態の構成に限られず、発明の趣旨を変更しない範囲で種々の変形が可能である。上記実施形態では、Ｌ字型のコンクリート基礎ブロックＬの底面壁３ｃに複数の溝３１ａ、３１ｂを設けたものを示したが、１つでも、又は、３つ以上設けたものであってもよい。但し、溝が１つだけの場合は、外側壁３ａと内側壁３ｂとの間の幅寸法は一定のものとなる。
【００２３】
また、コンクリート基礎ブロック３は、Ｕ字型の分割できないコンクリート基礎ブロックからなってもよい。
【図面の簡単な説明】
【００２４】
【図１】本発明の第１の実施形態に係る建築物の基礎構造の断面図。
【図２】本発明の第２の実施形態に係る建築物の基礎構造の断面図。
【図３】本発明の第３の実施形態に係る建築物の基礎構造の断面図。
【符号の説明】
【００２５】
１  基礎地盤
２ａ  改良地盤
２ｂ  改良地盤
３  コンクリート基礎ブロック（基礎構造体）
３ａ  Ｌ字型部材
３ｂ  Ｉ字型部材
３１  外側壁
３２  底面壁
３３  内側壁
３４  溝
３５  溝
３６  開口部
４  鉄筋コンクリートスラブ
５  断熱材
５１  外断熱材
６  断熱材
７  栗割石
１１  土台
１２  柱・壁
【図１】
0004806743.tif 000002
【図２】
0004806743.tif 000003
【図３】
0004806743.tif 000004